(57)【要約】【課題】聴覚障害者や高齢者等に緊急通報を遅滞なく気づかせる。【解決手段】本発明は、送出装置と受信装置を具備する送受信システムであって、前記送出装置は、視聴者の注意を喚起する画面に関わる注意喚起情報を格納している注意喚起情報格納部と、受信装置において出力される情報である出力情報を格納している出力情報格納部と、前記注意喚起情報と前記出力情報を送出する送出部を具備し、前記受信装置は、前記注意喚起情報と前記出力情報を受信する受信部と、前記受信部が受信した前記注意喚起情報と前記出力情報を表示する表示部を具備する送受信システムであり、かかる送受信システムにより緊急通報に気づき易くする。【選択図】図１
2006086953.tif 000002
【特許請求の範囲】
【請求項１】
視聴者の注意を喚起する画面に関わる注意喚起情報を格納している注意喚起情報格納部と、
受信装置において出力される情報である出力情報を格納している出力情報格納部と、
前記注意喚起情報と前記出力情報を送出する送出部を具備する送出装置。
【請求項２】
視聴者の注意を喚起する処理に関わる注意喚起情報を格納している注意喚起情報格納部と、
受信装置において出力される情報である出力情報を格納している出力情報格納部と、
前記出力情報に前記注意喚起情報による注意喚起処理を行って送出する送出部を具備する送出装置。
【請求項３】
供給源から供給される映像情報に対して注意喚起処理を行うための送出装置であって、
視聴者の注意を喚起する処理に関わる注意喚起情報を格納している注意喚起情報格納部と、
前記映像情報に前記注意喚起情報による注意喚起処理を行って送出する送出部を具備する送出装置。
【請求項４】
前記注意喚起情報に基づいて、フラッシュ画面を構成する２以上の画面が形成される請求項１乃至３何れか記載の送出装置。
【請求項５】
視聴者の注意を喚起する画面に関わる注意喚起情報を格納しており、かつ、受信装置において出力される情報である出力情報を格納しており、
前記注意喚起情報を送出する第一送出ステップと、
前記出力情報を送出する第二送出ステップを具備する送出方法。
【請求項６】
視聴者の注意を喚起する処理に関わる注意喚起情報を格納しており、かつ、受信装置において出力される情報である出力情報を格納しており、
前記注意喚起情報を読み出すステップと、
前記出力情報を読み出すステップと、
読み出した前記注意喚起情報に基づき前記出力情報に注意喚起処理を行うステップと、
注意喚起処理後の前記出力情報を送出するステップを具備する送出方法。
【請求項７】
供給源から供給される映像情報に対して注意喚起処理を行うための送出方法であって、
視聴者の注意を喚起する処理に関わる注意喚起情報を格納しており、
前記注意喚起情報を読み出すステップと、
読み出した前記注意喚起情報に基づき前記映像情報に注意喚起処理を行うステップと、
注意喚起処理後の前記映像情報を送出するステップを具備する送出方法。
【請求項８】
前記注意喚起情報に基づいて、フラッシュ画面を構成する２以上の画面が形成される請求項５乃至７何れか記載の送出方法。
【請求項９】
視聴者の注意を喚起する画面に関わる注意喚起情報を格納しており、かつ、受信装置において出力される情報である出力情報を格納しており、
前記注意喚起情報に従って注意喚起画面を表示するステップと、
前記出力情報に従って出力情報画面を表示するステップ、または、音声を出力するステップを具備する情報出力方法。
【請求項１０】
視聴者の注意を喚起する処理に関わる注意喚起情報を格納しており、かつ、受信装置において出力される情報である出力情報を格納しており、
前記注意喚起情報を読み出すステップと、
前記出力情報を読み出すステップと、
読み出した前記注意喚起情報に基づき前記出力情報に注意喚起処理を行うステップと、
注意喚起処理後の前記出力情報に従って注意喚起処理された出力情報画面を表示するステップを具備する情報出力方法。
【請求項１１】
供給源から供給される映像情報に対して注意喚起処理を行うための情報出力方法であって、
視聴者の注意を喚起する処理に関わる注意喚起情報を格納しており、
前記注意喚起情報を読み出すステップと、
読み出した前記注意喚起情報に基づき前記映像情報に注意喚起処理を行うステップと、
注意喚起処理後の前記映像情報を表示するステップを具備する情報出力方法。
【請求項１２】
前記注意喚起情報に基づいて、フラッシュ画面を構成する２以上の画面が表示される請求項９乃至１１何れか記載の情報出力方法。
【請求項１３】
送出装置と受信装置を具備する送受信システムであって、
前記送出装置は、
視聴者の注意を喚起する画面に関わる注意喚起情報を格納している注意喚起情報格納部と、
前記受信装置において出力される情報である出力情報を格納している出力情報格納部と、
前記注意喚起情報と前記出力情報を送出する送出部を具備し、
前記受信装置は、
前記注意喚起情報と前記出力情報を受信する受信部と、
前記受信部が受信した前記注意喚起情報と前記出力情報を表示する表示部を具備する送受信システム。
【請求項１４】
送出装置と受信装置を具備する送受信システムであって、
前記送出装置は、
視聴者の注意を喚起する処理に関わる注意喚起情報を格納している注意喚起情報格納部と、
前記受信装置において出力される情報である出力情報を格納している出力情報格納部と、
前記出力情報に前記注意喚起情報による処理を行って送出する送出部を具備し、
前記受信装置は、
前記注意喚起情報による処理が行われた出力情報を受信する受信部と、
前記受信部が受信した前記出力情報を表示する表示部を具備する送受信システム。
【請求項１５】
送出装置と受信装置を具備する送受信システムであって、
前記送出装置は、
視聴者の注意を喚起する処理に関わる注意喚起情報を格納している注意喚起情報格納部と、
前記注意喚起情報を読み出し、映像情報に対して注意喚起処理を行い送出する送出部を具備し、
前記受信装置は、
前記注意喚起処理された映像情報を表示する表示部を具備する送受信システム。
【請求項１６】
送出装置と映像情報を受信する受信装置を具備する送受信システムであって、
前記送出装置は、
視聴者の注意を喚起する処理に関わる注意喚起情報を格納している注意喚起情報格納部と、
前記注意喚起情報を送出する送出部を具備し、
前記受信装置は、
前記注意喚起情報を受信し、受信した映像情報に前記注意喚起情報に基づき前記映像情報に注意喚起処理を行う注意喚起処理部と、
注意喚起処理がなされた映像情報を表示する表示部を具備する送受信システム。
【請求項１７】
前記注意喚起情報に基づいて、フラッシュ画面を構成する２以上の画面が前記表示部により表示される請求項１３乃至１６何れか記載の送受信システム。
【発明の詳細な説明】
【技術分野】
【０００１】
本発明は、聴覚障害者や聴能力が劣化している高齢者に、効果的に緊急を要する通知や通報を行うことができるようにした緊急通報用の情報を出力するための送受信システム、送出装置、送出方法、および、情報出力方法等に関する。
【背景技術】
【０００２】
近年、聴覚や視覚に障害を有する障害者が生活しやすいバリアフリー社会の構築が望まれている。また高齢化が進むにつれて、高齢者向けのバリアフリー化も進める必要がある。健常者の場合、テレビを見ている最中でも、火災報知のベル音などの通知を聴くことができる。これは、人が何かをしていても、聴覚により周囲の状況を即座に知ることが容易にできる能力に由来する。しかしながら、聴覚障害者や聴能力が劣化している高齢者の場合には、音で緊急情報を通知することは困難である。
【０００３】
一方、聴覚障害者や聴能力が劣化している高齢者向けにテレビ番組に、字幕を表示することが可能な放送が行われるようになった。この字幕の読み取りを容易にするために、ＴＶの映像画面表示とは別個の独立した表示手段を設け、ＴＶの画面には従来と同様の字幕なしの映像を表示する一方、ＴＶ画面とは別体の表示手段に字幕文を表示して、ＴＶの映像表示と字幕表示とが干渉して字幕が読みにくいという問題点を解消するようにした情報提示装置が提案されている。この情報提示装置では、前記別個の独立した表示手段に、電話の着信、来客の訪問、防災警報などの情報も表示すること、それらの情報の種別を図形またはシンボルマークにより通知することも提案されている（特許文献１参照）。
【特許文献１】特開２００１−０２４９６４号公報（第１−４頁、図１、３、６）
【発明の開示】
【発明が解決しようとする課題】
【０００４】
しかしながら、上記の従来技術において、聴覚障害者や聴能力が劣化している高齢者等に、迅速にまたは効果的に緊急を要する通知や通報を行うことができない。
そこで、本発明は、緊急情報等を聴覚障害者や聴能力が劣化している高齢者等向けにできるだけ早く効果的に通知することを目的とする。
【課題を解決するための手段】
【０００５】
上記の課題を解決するために、本発明の送受信システム、送出装置、送出方法、および、情報出力方法は、以下のような手段および方法を採用する。
【０００６】
（１）視聴者の注意を喚起する画面に関わる注意喚起情報を格納している注意喚起情報格納部と、受信装置において出力される情報である出力情報を格納している出力情報格納部と、前記注意喚起情報と前記出力情報を送出する送出部を具備する送出装置。
【０００７】
（２）視聴者の注意を喚起する処理に関わる注意喚起情報を格納している注意喚起情報格納部と、受信装置において出力される情報である出力情報を格納している出力情報格納部と、前記出力情報に前記注意喚起情報による注意喚起処理を行って送出する送出部を具備する送出装置。
【０００８】
（３）供給源から供給される映像情報に対して注意喚起処理を行うための送出装置であって、視聴者の注意を喚起する処理に関わる注意喚起情報を格納している注意喚起情報格納部と、前記映像情報に前記注意喚起情報による注意喚起処理を行って送出する送出部を具備する送出装置。
（４）前記注意喚起情報に基づいて、フラッシュ画面を構成する２以上の画面が形成される（１）乃至（３）何れか記載の送出装置。
【０００９】
（５）視聴者の注意を喚起する画面に関わる注意喚起情報を格納しており、かつ、受信装置において出力される情報である出力情報を格納しており、前記注意喚起情報を送出する第一送出ステップと、前記出力情報を送出する第二送出ステップを具備する送出方法。
【００１０】
（６）視聴者の注意を喚起する処理に関わる注意喚起情報を格納しており、かつ、受信装置において出力される情報である出力情報を格納しており、前記注意喚起情報を読み出すステップと、前記出力情報を読み出すステップと、読み出した前記注意喚起情報に基づき前記出力情報に注意喚起処理を行うステップと、注意喚起処理後の前記出力情報を送出するステップを具備する送出方法。
【００１１】
（７）供給源から供給される映像情報に対して注意喚起処理を行うための送出方法であって、視聴者の注意を喚起する処理に関わる注意喚起情報を格納しており、前記注意喚起情報を読み出すステップと、読み出した前記注意喚起情報に基づき前記映像情報に注意喚起処理を行うステップと、注意喚起処理後の前記映像情報を送出するステップを具備する送出方法。
（８）前記注意喚起情報に基づいて、フラッシュ画面を構成する２以上の画面が形成される（５）乃至（７）何れか記載の送出方法。
【００１２】
（９）視聴者の注意を喚起する画面に関わる注意喚起情報を格納しており、かつ、受信装置において出力される情報である出力情報を格納しており、前記注意喚起情報に従って注意喚起画面を表示するステップと、前記出力情報に従って出力情報画面を表示するステップを具備する情報出力方法。
【００１３】
（１０）視聴者の注意を喚起する処理に関わる注意喚起情報を格納しており、かつ、受信装置において出力される情報である出力情報を格納しており、前記注意喚起情報を読み出すステップと、前記出力情報を読み出すステップと、読み出した前記注意喚起情報に基づき前記出力情報に注意喚起処理を行うステップと、注意喚起処理後の前記出力情報に従って注意喚起処理された出力情報画面を表示するステップを具備する情報出力方法。
【００１４】
（１１）供給源から供給される映像情報に対して注意喚起処理を行うための情報出力方法であって、視聴者の注意を喚起する処理に関わる注意喚起情報を格納しており、前記注意喚起情報を読み出すステップと、読み出した前記注意喚起情報に基づき前記映像情報に注意喚起処理を行うステップと、注意喚起処理後の前記映像情報を表示するステップを具備する情報出力方法。
（１２）前記注意喚起情報に基づいて、フラッシュ画面を構成する２以上の画面が表示される（９）乃至（１１）何れか記載の情報出力方法。
【００１５】
（１３）送出装置と受信装置を具備する送受信システムであって、前記送出装置は、視聴者の注意を喚起する画面に関わる注意喚起情報を格納している注意喚起情報格納部と、受信装置において出力される情報である出力情報を格納している出力情報格納部と、前記注意喚起情報と前記出力情報を送出する送出部を具備し、前記受信装置は、前記注意喚起情報と前記出力情報を受信する受信部と、前記受信部が受信した前記注意喚起情報と前記出力情報を表示する表示部を具備する送受信システム。
【００１６】
（１４）送出装置と受信装置を具備する送受信システムであって、前記送出装置は、視聴者の注意を喚起する処理に関わる注意喚起情報を格納している注意喚起情報格納部と、受信装置において出力される情報である出力情報を格納している出力情報格納部と、前記出力情報に前記注意喚起情報による処理を行って送出する送出部を具備し、前記受信装置は、前記注意喚起情報による処理が行われた出力情報を受信する受信部と、前記受信部が受信した前記出力情報を表示する表示部を具備する送受信システム。
【００１７】
（１５）送出装置と受信装置を具備する送受信システムであって、前記送出装置は、視聴者の注意を喚起する処理に関わる注意喚起情報を格納している注意喚起情報格納部と、前記注意喚起情報を読み出し、映像情報に対して注意喚起処理を行い送出する送出部を具備し、前記受信装置は、前記注意喚起処理された映像情報を表示する表示部を具備する送受信システム。
【００１８】
（１６）送出装置と映像情報を受信する受信装置を具備する送受信システムであって、前記送出装置は、視聴者の注意を喚起する処理に関わる注意喚起情報を格納している注意喚起情報格納部と、前記注意喚起情報を送出する送出部を具備し、前記受信装置は、前記注意喚起情報を受信し、受信した映像情報に前記注意喚起情報に基づき前記映像情報に注意喚起処理を行う注意喚起処理部と、注意喚起処理がなされた映像情報を表示する表示部を具備する送受信システム。
（１７）前記注意喚起情報に基づいて、フラッシュ画面を構成する２以上の画面が前記表示部により表示される（１３）乃至（１６）何れか記載の送受信システム。
【発明の効果】
【００１９】
本発明の送受信システム等によれば、緊急を要する通知情報等を聴覚障害者や聴能力が劣化している高齢者等に早く気づかせることが可能になる。
【発明を実施するための最良の形態】
【００２０】
以下、本発明の送受信システム、送出装置、送出方法、および、情報出力方法の実施形態について図面を参照して順次説明する。なお、実施の形態において同じ符号を付した構成要素が同様の動作を行う場合には、再度の説明を省略する場合がある。
（実施の形態１）
【００２１】
図１（Ａ）は、本発明の送受信システム、および、送出装置の一実施の形態の構成図である。図１（Ａ）において、送受信システムは、送出装置１０と受信装置１７を備える。放送番組受信部１５と合成部１６は、必要に応じて設ける。送出装置１０は、注意喚起情報格納部１１、出力情報格納部１２、送出部１３、および、出力指示部１４を備える。受信装置１７は、受信部１８と表示部１９を備える。
【００２２】
注意喚起情報格納部１１は、視聴者の注意を喚起する画面に関する情報である注意喚起情報を格納している。注意喚起情報は、例えば、視聴者の注意を喚起する画面全体の情報、視聴者の注意を喚起する画面を構成する要素画面（画面の一部）の情報、画面を生成するための図形の座標や色彩や輝度を表す情報、これらの情報を圧縮してデータ量を削減した情報などである。視聴者の注意を喚起する画面として典型的なものとして、輝度、色彩、形状などを０．５秒から１秒前後の周期（かかる周期は一定でなくても良い）で大幅に変化させるフラッシュ画面が適用できる。なお、フラッシュ画面とは、輝度等を所定の間隔（一定でなくても良い）で変換させる画面であり、表示画面全体の輝度等が変化することが好適であるが、表示画面の一部の輝度等が変化するものであっても良い。注意喚起情報格納部１１は、不揮発性の記録媒体が好適であるが、揮発性の記録媒体でも実現可能である。
【００２３】
出力情報格納部１２は、視聴者に伝えたい情報である出力情報を格納している。出力情報の格納形態は、種々あるが、典型的には、文字情報とする。出力情報格納部１２は、不揮発性の記録媒体が好適であるが、揮発性の記録媒体でも実現可能である。
【００２４】
出力指示部１４は、安全管理者などが操作するスイッチなどを内蔵した操作部を有している。視聴者に情報を伝えたいときには、安全管理者が捜査部を操作することにより、出力指示部１４は出力指示情報を送出部１３に供給する。出力指示部１４は、通常、ＭＰＵやメモリ等とキーボードのような入力操作装置により実現できる。
【００２５】
送出部１３は、出力指示情報を受け取ると、その指示内容に従い、注意喚起情報格納部１１より注意喚起情報を読み出し、合成部１６に送出する。また、送出部１３は、出力指示情報を受け取ると、その指示内容に従い、出力情報格納部１２より出力情報を読み出し、合成部１６に送出する。送出部１３は、通常、ＭＰＵやメモリ等および、無線または有線の通信手段を具備するが、放送手段を具備しても良い。なお、送出部１３、出力指示部１４の処理手順は、通常、ソフトウェアで実現され、当該ソフトウェアはＲＯＭ等の記録媒体に記録されている。また、送出部１３の重畳用の信号生成回路と合成部１６の回路は、スーパーインポーズ用の回路の技術や市販のオンスクリーンディスプレイ（ＯＳＤ）処理のための集積回路などにより実現できる。但し、ハードウェア（専用回路）で実現しても良い。
【００２６】
放送番組受信部１５は、通常、一般のテレビ放送電波を受信して合成部１６に供給する。ここで放送とは、地上波デジタル放送、衛星放送、インターネット放送、ＣＡＴＶ等の放送等がある。放送番組受信部１５は、テレビの再送信機器でよい。簡単なものとしては、ＶＨＳ、ＵＨＦ，ＢＳなどのアンテナ、ブースター、および、混合器でよい。受信装置１７は、公知のテレビ受像機でもよい。
【００２７】
合成部１６は、テレビ信号の映像に注意喚起情報と出力情報を重畳して受信装置１７に供給する。合成部１６は、通常、ＭＰＵやメモリ等から実現され得る。合成部１６の処理手順は、通常、ソフトウェアで実現され、当該ソフトウェアはＲＯＭ等の記録媒体に記録されている。但し、ハードウェア（専用回路）で実現しても良い。なお、通常、合成部１６の出力信号は、分配器により、各部屋の壁面端子を介してテレビ受像機に供給される。
【００２８】
受信装置１７は、受信部１８と表示部１９を備える。受信部１８は、注意喚起情報と出力情報が重畳されたテレビ信号を受信し、映像信号に復調して表示部１９により表示する。受信部１８は、通常、放送を受信する手段で実現されるが、無線または有線の通信手段で実現されても良い。
【００２９】
表示部１９は、ディスプレイ（出力デバイス）を含むと考えても含まないと考えても良い。表示部１９は、出力デバイスのドライバーソフトまたは、出力デバイスのドライバーソフトと出力デバイス等で実現され得る。
表示の一例を図１（Ｂ）に示す。図１（Ｂ）において、通常のテレビ番組の映像画面の左上に、緊急通報であることを示す点滅図形が表示され、映像画面下部に、火災発生を通報する文字文章が表示される。
【００３０】
放送番組受信部１５がテレビ放送の１チャンネルだけを出力する場合は、ＮＴＳＣ方式のベースバンド信号とし、送出部１３は、注意喚起情報と出力情報をＮＴＳＣ形式の映像信号に変換して合成部１６に供給し、合成部１６が、２つのＮＴＳＣ形式の信号を合成する。図１（Ｂ）に示した緊急通報の図形の場合は、送出部１３は、図形の各画素に対応する信号を水平走査線上に表示位置毎に発生させて合成部１６に供給し、合成部１６は、ベースバンド信号の対応する走査線上に重畳することにより、緊急通報の図形を合成する。出力情報が文字情報の場合は、送出部１３は、文字情報をキャラクタ図形に変換して、映像画面の下部に対応する位置の走査線に重畳する信号を生成する。合成部１６は、送出部１３から供給される前記重畳用の信号を、放送番組受信部１５から供給されるＮＴＳＣ信号の画面下部に対応する走査線上に重畳する。このような、ＮＴＳＣ信号へのスーパーインポーズの技術は、周知であるので、合成処理の詳細の説明は省く。合成部１６は、重畳済のＮＴＳＣ信号を、再び、ＶＨＦ、または、ＵＨＦ周波数帯域に変調して、受信装置１７に送出する。なお、ＮＴＳＣ信号の形式で重畳合成する方法以外に、コンポジットビデオ信号やコンポーネントビデオ信号に変換して重畳してもよい。この場合は、合成部１６は、重畳済のコンポジットビデオ信号やコンポーネントビデオ信号をＮＴＳＣ信号に変換し、再び、ＶＨＦ、または、ＵＨＦ周波数帯域に変調して、受信装置１７に送出する。
【００３１】
放送番組受信部１５が、多数のテレビ放送チャンネルを受信し、受信装置１７の受信部が選局する場合について説明する。放送番組受信部１５から合成部１６に供給されるテレビ放送信号は、複数チャンネルからなる。合成部１６において、各チャンネルの信号を別々に復調し、チャンネル毎に上記スーパーインポーズ処理を行い、再び、ＶＨＦ、または、ＵＨＦ周波数帯域に変調して、周波数軸上に複数チャンネルの放送信号を配列して、受信装置１７に供給する。受信装置１７においては、受信部１８が、１つのテレビ放送信号を選局し復調して、映像を表示部１９に表示する。このような形態は、同軸ケーブルにより、障害者専用のホームセンター、介護施設、病院などの各部屋にテレビ放送を供給している場合に適用できる。マンション内の各家庭にテレビ放送を再送信するシステムでも適用できる。
注意喚起情報と出力情報の送出順序は、同時でもよいし、どちらか一方、例えば注意喚起情報が先でもよい。注意喚起情報と出力情報が同時に表示される時間があるように送出されることが好ましい。
図１（Ｂ）では、番組映像上に注意喚起情報と出力情報の図形を重ねて表示しているが、番組映像を縮小し、表示部１９の左右や下部にできる余白部に、注意喚起情報と出力情報を配置してもよい。
（実施の形態２）
【００３２】
前記実施の形態１では、一般のテレビ放送の受信画面を重畳の対象にしたが、老人ホーム、障害者ケアセンターなどで独自に作成しているテレビ放送の画面に緊急通報を重畳してもよい。図２（Ａ）は、このような場合の、送受信システムの構成図である。図２（Ａ）においては、放送番組受信部１５の代りに放送番組生成部２５が設けられている。放送番組生成部２５は、自主番組を複数チャンネル出力する。それぞれＮＴＳＣ形式でよく、個別の信号線により合成部１６に供給される。合成部１６は、送出部１３からの送出される注意喚起情報と出力情報をＮＴＳＣ信号に重畳する信号波形に変換して、放送番組生成部２５から受け取った複数のＮＴＳＣ信号に重畳し、ＶＨＦ、ＵＨＦなどの放送周波数帯域に変調して周波数軸上に配列し、同軸ケーブルにより受信装置１７に供給する。なお、放送番組生成部２５は、放送番組をコンポジットビデオ信号やコンポーネントビデオ信号の形式で出力し、送出部１３も、注意喚起情報と出力情報をコンポジットビデオ信号やコンポーネントビデオ信号の形式で送出し、合成部１６において重畳合成した後、ＮＴＳＣ信号に変換し、更にＶＨＦ、ＵＨＦなどの放送周波数帯域に変調して送出してもよい。送出装置１０と受信装置１７の構成や動作は、実施の形態１において説明したものと同様でよい。
（実施の形態３）
【００３３】
前記実施の形態１、２では、受信装置１７として、広く普及しているテレビ受像機を使用したが、本実施の形態３では、放送番組と緊急通報とを、受信装置において合成する。図２（Ｂ）は、本実施の形態３の送受信システムの構成図である。図２（Ｂ）において、受信装置２７は、受信部２８と表示部１９を備える。受信部２８は、放送番組受信部１５から供給される複数チャンネルのテレビ放送信号と、送出部１３から送出される注意喚起情報および出力情報とを別々に受け取る。受信部２８は、放送番組受信部１５から供給される複数チャンネルのテレビ放送信号に対しては、選局と復調とを行い、水平走査信号、垂直走査信号およびＲＧＢ信号を生成する。また、受信部２８は、送出部１３から注意喚起情報および出力情報を受け取り、ＲＧＢ信号の所定の水平、垂直位置に、注意喚起情報の画像と出力情報の文字の画素に相当する信号波形を重畳する。
【００３４】
注意喚起情報格納部１１は、実施の形態１において説明したように、視聴者の注意を喚起する注意喚起情報として、画面の情報を、画面全体の情報、画面を構成する要素画面の情報、画面を生成するための図形の座標や色彩や輝度を表す情報、これらの情報を圧縮してデータ量を削減した情報などの形式で格納している。送出部１３は、注意喚起情報をこれらの形態の情報のまま、受信部２８に送出し、受信部２８において表示のための画像信号の形態に変換してもよい。出力情報格納部１２が、出力情報として文字情報を格納している場合、文字情報を送出部１３が受信部２８に送出し、受信部２８が、文字情報を各文字の画像信号の形態に変換して、テレビ映像上に重畳してもよい。
【００３５】
表示部１９として、プラズマパネルディスプレイや液晶パネルを採用する場合、ラインメモリ、フィールドメモリ、フレームメモリの何れかを使用することが多い。この場合は、受信部２８において、注意喚起情報や出力情報を表示位置における画素データに変換し、ラインメモリ、フィールドメモリ、フレームメモリにテレビ映像の画素データを書き込む前に、注意喚起情報や出力情報の画素データをその表示位置において置き換えるか、テレビ映像の画素データと注意喚起情報や出力情報の画素データを所定に比率で加算合成してからラインメモリ、フィールドメモリ、フレームメモリに書き込むようにしてもよい。
【００３６】
なお、スーパーインポーズ用の色彩、輝度、表示位置、文字とその表示位置のデータを受け取り、テレビ画面の信号上に重畳することができるスーパーインポーズ機能を備えた集積回路が周知であるので、このような集積回路をテレビ受信回路に組み込んでも、受信部２８を実施できる。
（実施の形態４）
【００３７】
図３は、本発明の送受信システムの別の実施の形態の構成図である。本実施の形態における送出装置１０は、テレビ放送局またはテレビ電波の送信所に設けられる。１つの放送局内では、放送番組生成部３５が一連の放送番組の映像を生成する。出力形式は、例えば、放送用のアナログビデオ信号、デジタルビデオ信号、ＮＴＳＣベースバンド信号等である。送出装置１０は、前記実施の形態において説明した装置である。送出装置１０は、出力指示部１４の指示に従い、注意喚起情報と出力情報を合成部３６に供給する。送出部１３での出力形式は、放送用のアナログビデオ信号、デジタルビデオ信号、ＮＴＳＣベースバンド信号等である。合成部３６は、放送番組生成部３５の出力信号に、注意喚起情報と出力情報を重畳する。重畳処理は出力形式に従って行われる。合成部３６の出力信号は、送出部３１により、ＶＨＦやＵＨＦ帯の所定のチャンネル周波数に変調されて送信アンテナ３２より放送される。
【００３８】
受信装置１７は、周知のテレビ受像機である。受信アンテナ３３によりテレビ放送電波を受信し、受信部１８において選局、復調して、表示部１９において番組映像を表示する。番組映像には、緊急通報時には、図１（Ｂ）のような映像が表示されることになる。
（実施の形態５）
【００３９】
図４（Ａ）は、本発明の送出装置１０の一構成例のブロック図である。図４（Ａ）において、送出部１３は、制御部４１、読出部４２、映像情報変換部４３を有する。注意喚起情報格納部１１ａと１１ｂは、注意喚起情報格納部１１における複数の格納領域である。注意喚起情報格納部１１ａには注意喚起画面データ１を格納し、注意喚起情報格納部１１ｂには注意喚起画面データ２を格納する。出力情報格納部１２は、複数の格納領域である１２ａと１２ｂを有する。出力情報格納部１２ａには出力情報文字データ１を格納し、出力情報格納部１２ｂには出力情報文字データ２を格納する。注意喚起画面データ１は、図１（Ｂ）に示した「緊急通報」の文字および文字を取り囲む１６個の突起のある星型図形のデータとする。これらのデータの表現形式には種々の形式があるが、一例として、文字については、ＡＳＣＩＩコードのようなキャラクタ識別情報と各文字の表示画面上の座標位置情報とする。星型図形については、各線分の始点と終点の座標位置情報と線分の太さ情報、線分の色情報と輝度情報、文字の色情報と輝度情報とする。色情報は、線分、文字共に赤色、輝度情報は、普通の輝度とする。一方、注意喚起画面データ２では、注意喚起画面データ１の内、輝度情報を最大の輝度の値のデータとし、他は同じとする。出力情報文字データ１には、火災発生と避難場所に関する「調理室から出火しました。ベランダから運動場に避難して下さい。」の文字データとそれらの表示位置情報を格納する。出力情報文字データ２には、水害発生と避難場所に関する「大雨により大川が危険水位を超え、氾濫の危険があります。皆さんは２階の集会室に避難して下さい。」の文字データとそれらの表示位置情報とを格納する。すなわち、文字データは、キャラクタ識別情報と配列位置データである。
【００４０】
安全管理者が、出力指示部１４に設けられた火災通報と水害通報の２つのボタンの内、火災通報ボタンを押すと、出力指示情報として火災通報指示情報が、送出部１３の制御部４１に供給される。制御部４１は、出力指示情報の内容を解析し、火災通報指示である場合、注意喚起画面データ１、注意喚起画面データ２、および、出力情報文字データ１を読み出すように読出部４２に指示する。具体的には、読み出しアドレスを供給し、読み出し動作を行わせる。読出部４２は、指示されたアドレスにより、注意喚起画面データ１、注意喚起画面データ２、および、出力情報文字データ１を読み出し、映像情報変換部４３に供給する。映像情報変換部４３は、文字の形状を発生させるキャラクタジェネレータ、任意の図形を描画する図形発生機能を有しており、供給された注意喚起画面データ１、注意喚起画面データ２、および、出力情報文字データ１に従って、内蔵するビデオメモリ上に星型図形、緊急通報の文字の図形、および、火災通報の文章の図形を生成する。星型図形と緊急通報の文字は、普通の輝度と最大輝度が所定の周期で交代する描画処理を行わせる。ビデオメモリの各画素データは、合成部１６に送出され、テレビ番組放送の画面上に重畳される。
【００４１】
安全管理者が、２つのボタンの内、水害通報ボタンを押すと、出力指示情報として水害通報指示情報が、送出部１３の制御部４１に供給される。制御部４１は、出力指示情報の内容を解析し、水害通報指示である場合、注意喚起画面データ１、注意喚起画面データ２、および、出力情報文字データ２を読み出すように読出部４２に指示する。読出部４２は、指示されたアドレスにより、注意喚起画面データ１、注意喚起画面データ２、および、出力情報文字データ２を読み出し、映像情報変換部４３に供給する。映像情報変換部４３は、注意喚起画面データ１、注意喚起画面データ２、および、出力情報文字データ２に従って、ビデオメモリ上に星型図形、緊急通報の文字の図形、および、水害通報の文章の図形を生成する。星型図形と緊急通報の文字は、普通の輝度と最大輝度が所定の周期で交代する描画処理を行わせる。ビデオメモリの各画素データは、合成部１６に送出され、テレビ番組放送の画面上に重畳される。
【００４２】
映像情報変換部４３から出力する重畳用の図形の信号の形態は、合成部１６での重畳の方式に合わせた形態とすることは言うまでもない。一般的には、アナログビデオ信号、デジタルビデオ信号、ＮＴＳＣベースバンド信号、図形のビットマップデータなどの何れかとするが、これに限らない。
【００４３】
本実施の形態５の送出装置１０において、注意喚起情報格納部１１ａ、１１ｂと出力情報格納部１２ａ、１２ｂは、不揮発性の半導体メモリ、ハードディスクドライブなどの記録媒体が好適であるが、揮発性の記録媒体、例えば半導体ＲＡＭでも実現可能である。送出部１３は、通常、ＭＰＵやメモリ等から実現され得る。出力指示部１４は、通常、ＭＰＵやメモリ等とキーボードのような入力操作装置により実現できる。送出部１３の制御部４１、読出部４２、映像情報変換部４３の処理手順、出力指示部１４の処理手順は、通常、ソフトウェアで実現され、当該ソフトウェアはＲＯＭ等の記録媒体に記録されている。但し、ハードウェア（専用回路）で実現しても良い。送出部１３の映像情報変換部４３は、専用の画像処理のハードウェアを使用してもよい。
【００４４】
注意喚起画面データ１、注意喚起画面データ２、出力情報文字データ１、出力情報文字データ２のデータ形式は、上記説明した形式に限らず、種々の形式を適用できる。適用した形式に対応して映像情報変換部４３が、描画処理を行えばよいことは言うまでもない。例えば、描画済の星型図形や文字、文章の画面データ（ピクセルデータ）の形で格納している場合は、映像情報変換部４３は、供給される画面データをテレビ画面の所定の位置に配置する処理を行えばよい。注意喚起画面データ１、注意喚起画面データ２の一方に普通輝度の画面、他方に高輝度の画面を格納しておき、交互に送出することにより、フラッシュ画面を映像情報変換部４３において生成することができる。
【００４５】
注意喚起画面データ１に星型図形と緊急通報の文字図形を格納し、注意喚起画面データ２に、低輝度と高輝度の輝度の大きさデータを格納し、映像情報変換部４３は、注意喚起画面データ１により、星型図形と緊急通報の文字図形をビデオメモリ上に配置し、注意喚起画面データ２が指定する２つの輝度値に対応して図形の輝度を変更するように注意喚起処理を施してフラッシュ画面を生成してもよい。注意喚起処理とは、上記の図形の輝度の変更等、注意を喚起するための画面（フラッシュ画面）を構成する処理等であり、注意を喚起するための画面を得るための処理をいう。
【００４６】
図１（Ｂ）の画面では、注意喚起のフラッシュ図形を左上に、通報内容の文章を画面下部に、別々に表示した。左上のフラッシュ図形を省いて、画面下部の文章自身をフラッシュ表示してもよい。この場合は、注意喚起画面データ１として低輝度値データ、注意喚起画面データ２として高輝度値データを格納しておき、映像情報変換部４３は、出力情報文字データ１や２の描画に際して、低輝度値データと高輝度値データを０．５秒から１秒程度の周期で交互に使用して、輝度が変化する文章の文字をビデオメモリ上に形成し、送出すればよい。この場合は、輝度値データが注意喚起情報に相当することになる。
（実施の形態６）
次に、注意喚起情報の形態と格納方法に関する別の実施の形態について説明する。本実施の形態では、視聴者の注意を喚起する処理に関わる情報である注意喚起情報を注意喚起情報格納部に格納しておく。
【００４７】
輝度値は、予め決められた値を使用することが多いから、映像情報変換部４３の画像描画処理回路の内部に、メモリを設けておき、当該メモリに輝度値データを格納しておく。図４（Ｂ）は、このような実施の形態のブロック図である。図４（Ｂ）において、映像情報変換部４３における輝度値データメモリ４４が、注意喚起情報格納部に相当する。すなわち、注意喚起情報格納部は、映像情報変換部４３の内部に設けられていることになる。輝度値データは、映像情報変換部４３の描画処理のプログラムの命令の一部として格納されることもある。この場合は、描画処理のプログラムの命令中の輝度値データが注意喚起情報に相当し、当該命令を格納している部分のプログラムメモリ、あるいは、当該命令内の輝度値データ部分を格納している部分のプログラムメモリが、注意喚起情報格納部に相当することになる。輝度値データが使用されないような輝度変更命令であっても、実質的には、この命令が注意喚起情報に相当するので、この命令を格納している部分のプログラムメモリが注意喚起情報格納部に相当することになる。図４（Ｂ）では、輝度値データメモリ４４が送出部１３の内部にあるように図示したが、輝度値データメモリ４４のみ送出部１３の外部にあるものと看做してもよい。注意喚起処理のプログラム部分を格納しているプログラムメモリについても同様に看做せる。
【００４８】
また、注意喚起情報そのものを送出していなくとも、注意喚起情報が、描画された画面の輝度の変化するフラッシュ画面という形に変換されて送出されているので、実質的に注意喚起情報が送出されていると看做すこともできる。
なお、図４（Ａ）、（Ｂ）において、映像情報変換部４３から出力される矢印が両方に向いているのは、合成部１６との間で、必要に応じて同期と取る必要がある場合があることを示している。
（実施の形態７）
【００４９】
上記各実施の形態では、通報する出力情報を送出装置１０が保有している構成について説明した。放送番組が緊急通報を放送してきた場合に、放送の情報から緊急通報を検出して、本発明の送出装置１０が、注意喚起のためのフラッシュ表示を行わせることにより、放送番組に含まれている緊急通報を強調してもよい。図５（Ａ）は、本実施の形態の送受信システムのブロック構成図である。
【００５０】
図５（Ａ）において、放送番組受信部５５は、テレビ放送番組を受信し、各チャンネルについてＮＴＳＣ信号に復調し、更に映像情報に変換し、緊急検出部５１と合成部５６に供給する。放送番組受信部５５は、映像情報の供給源である。緊急検出部５１は、例えば、各チャンネルの映像情報の画面データを画像解析し、画面に緊急通報が表示されているかどうかを判定する。緊急通報の表示を検出した場合、緊急検出部５１は、送出装置５０に注意喚起情報の送出を指示する。送出装置５０の注意喚起情報格納部１１、送出部１３は、上記各実施の形態において説明したと同様の動作を行う。なお、出力情報格納部１２はなくともよいが、設ける場合については、後述する。送出部１３は、図１（Ｂ）のフラッシュする星型図形と緊急通報の文字の図形データを送出し、合成部５６に供給する。緊急検出部５１は、緊急通報が見つかったテレビ放送のチャンネル識別子、例えばチャンネル番号を、合成部５６に供給する。合成部５６は、放送番組受信部５５から供給される各チャンネルの映像情報の内、チャンネル識別子に該当する映像画面に対してフラッシュする星型図形と緊急通報の文字の図形データを重畳し、再びＮＴＳＣ信号に変換し、更にＶＨＦ、ＵＨＦ周波数帯に変調して、受信装置１７に送出する。受信装置１７は、フラッシュする星型図形と緊急通報の文字の図形データが重畳された映像番組を受信し表示することになる。視聴者は、番組に気が取られていても、フラッシュする星型図形と緊急通報の文字により、遅滞なく緊急事態発生の通報に気づくことができ、放送局からの通報内容を読み取ることができる。
合成部５６が、ＶＨＦ、ＵＨＦ周波数帯に変調して送出するのは、多数のチャンネルの放送を複数の受信装置１７に送るためである。
【００５１】
放送局が通報する緊急通報の内容に加えて、特定地域、老人ホーム、障害者ケアセンターなどで、独自に準備している通報内容、例えば、避難場所の指示、避難経路の指示などを地域住民、老人ホーム、障害者ケアセンターなどの居住者に通報する場合は、出力情報格納部１２にそれらの追加の通報内容の文章を格納しておき、注意喚起情報の送出と並行して送出部１３より送出する。送出のタイミングは、注意喚起情報よりも遅らせてもよい。放送番組では、緊急通報の文字情報をテレビ画面の上部や下部に配置することが多いので、出力情報の文字は、映像画面の中央部に配置してもよい。
【００５２】
緊急検出部５１は、通常、ＭＰＵやメモリ等から実現され得る。緊急検出の処理手順は、通常、ソフトウェアで実現され、当該ソフトウェアはＲＯＭ等の記録媒体に記録されている。ソフトウェアとしては、映像画面の中に、地震、洪水、火災などに関する文字が含まれているかどうかの文字認識を行う方法が採用できる。画面中の文字認識を行う手順、認識した文字や単語が緊急通報に関連するかどうかの意味解析を行う手順には、公知の手順が種々発表されているので、詳細の説明は省く。意味解析の代りに、テレビ放送でよく使用される緊急通報に使用される文字や単語をテンプレートとして記憶しておき、認識した文字や単語をテンプレートと照合する方法でもよい。なお、これらの処理手順は、ハードウェア（専用回路）で実現しても良い。
【００５３】
なお、上記において、緊急検出部５１は、各チャンネルの映像情報の画面データを画像解析し、画面に緊急通報が表示されているかどうかを判定する、とした。しかし、放送番組受信部５５が受信した信号中に、緊急放送を示す情報（例えば、フラグ）が存在し、かかる緊急放送を示す情報を検出して、画面に緊急通報が表示されているかどうかを判定しても良い。緊急検出部５１の機能は、他の実施の形態においても同様である。
(実施の形態８)
本実施の形態は、選局したテレビ放送番組に対する緊急通報の検出を、受信装置の内部で行い、緊急通報が検出された場合に注意喚起を行うようにした送受信システムである。図５（Ｂ）を用いて説明する。
【００５４】
図５（Ｂ）において、放送番組受信部１５は、テレビ放送番組を受信し、施設内の複数のテレビ受像機である受信装置５７に受信電波の信号を供給する。放送番組受信部１５は、映像情報の供給源である。受信装置５７は、受信部２８、緊急検出部５１、および、表示部１９を備えている。受信部２８は、テレビ放送のチャンネルを選択し、映像画面を復調する。復調した映像画面の情報を緊急検出部５１に渡す。緊急検出部５１は、受信中のチャンネルの映像情報の画面データに対して文字認識などの画像解析を行い、画面に緊急通報が表示されているかどうかを判定する。緊急通報の表示を検出した場合、緊急検出部５１は、送出装置５０に注意喚起情報の送出を指示する。送出装置５０の注意喚起情報格納部１１、送出部１３は、上記各実施の形態において説明したと同様の動作を行う。なお、出力情報格納部１２はなくともよいが、設ける場合については、後述する。送出部１３は、図１（Ｂ）のフラッシュする星型図形と緊急通報の文字の図形データを送出し、受信部２８に供給する。受信部２８は、復調した映像画面にフラッシュする星型図形と緊急通報の文字の図形データを重畳し、表示部１９に供給し、表示部１９は、フラッシュする星型図形と緊急通報の文字の図形データが重畳された画面を表示する。視聴者は、番組に気が取られていても、フラッシュする星型図形と緊急通報の文字により、遅滞なく緊急事態発生に気づくことができ、放送局からの通報内容を読み取ることができる。
【００５５】
前記実施の形態６の場合と同様に、放送局が通報する緊急通報の内容に加えて、特定地域、老人ホーム、障害者ケアセンターなどで、独自に準備している通報内容、例えば、避難場所の指示、避難経路の指示などを通報する場合は、出力情報格納部１２にそれらの追加の通報内容の文章を格納しておき、注意喚起情報の送出と並行して送出部１３より送出する。送出のタイミングは、注意喚起情報よりも遅らせてもよい。放送番組では、緊急通報の文字情報をテレビ画面の上部や下部に配置することが多いので、出力情報の文字は、映像画面の中央部に配置してもよい。
【００５６】
本実施の形態８では、特定地域のセンター、老人ホーム、障害者ケアセンターなどの管理室に送出装置５０を設置し、受信装置５７と送出装置５０の間を通信回線、ＬＡＮ回線などで結合しておき、緊急検出部５１からの緊急通報検出の信号、送出部１３からの注意喚起情報や出力情報をやり取りする。なお、送出装置５０を各受信装置５７に内蔵させてもよい。図５（Ｂ）の緊急検出部５１の実現方法は、図５（Ａ）の緊急検出部５１とほぼ同様であるが、１チャンネルについての緊急検知ができればよい。
（実施の形態９）
【００５７】
前記実施の形態７と８においては、テレビ放送に緊急通報があった場合、注意喚起用の図形を送出して重畳して表示するようにしたが、テレビ映像画面の一部や全体の輝度を変化させるようにして注意喚起を行ってもよい。図６（Ａ）に、ブロック構成の例を示す。図５（Ａ）の構成と似ている部分もあるが、異なっている部分を中心に説明する。
【００５８】
図６（Ａ）において、放送番組受信部５５は、テレビ放送番組を受信し、各チャンネルについてＮＴＳＣ信号に復調し、更に映像情報に変換し、緊急検出部５１と注意喚起処理・送出部６３に供給する。放送番組受信部５５は、映像情報の供給源である。緊急検出部５１は、各チャンネルの映像情報の画面データを画像解析し、画面に緊急通報が表示されているかどうかを判定する。緊急通報の表示を検出した場合、緊急検出部５１は、送出装置６０の注意喚起処理・送出部６３に注意喚起処理の実行を指示する。注意喚起情報格納部６１は、注意喚起の画像処理プログラムや輝度値データを格納している。緊急検出部５１は、緊急通報があったテレビ放送チャンネルのチャンネル識別子、例えばチャンネル番号を注意喚起処理・送出部６３に供給する。注意喚起処理・送出部６３は、注意喚起処理機能を有する送出部である。注意喚起処理・送出部６３は、注意喚起情報格納部６１から注意喚起処理命令や輝度値データを読み出し、放送番組受信部５５から供給される各チャンネルの映像情報の内、チャンネル識別子に該当する映像画面について、テレビ映像画面全体、あるいは、その一部分の画面について、その輝度を大幅に変更し、フラッシュ画面にする。次に、注意喚起処理・送出部６３は、緊急通報がないチャンネルのテレビ放送画面も含めて、再び、それぞれをＮＴＣＳ形式に変換し、更にＶＨＦ、ＵＨＦ周波数帯に変調して、受信装置１７に送出する。受信装置１７は、緊急通報が送られているチャンネルを選局している場合、フラッシュするテレビ映像画面を表示することになる。視聴者は、番組に気が取られていても、フラッシュにより、遅滞なく緊急事態発生に気づくことができ、放送局からの通報内容を読み取ることができる。
なお、注意喚起処理・送出部６３は、テレビ放送画面上の緊急通報の文章の文字を検出して、その文字をフラッシュさせる処理を行ってもよい。
【００５９】
放送局が通報する緊急通報の内容に加えて、特定地域、老人ホーム、障害者ケアセンターなどで、独自に準備している通報内容、例えば、避難場所の指示、避難経路の指示などを通報する場合は、出力情報格納部を設けて、それらの追加の通報内容の文章を格納しておき、注意喚起処理・送出部６３において、通報文を文字化して重畳すればよい。
【００６０】
注意喚起処理・送出部６３は、通常、テレビ映像処理回路と、ＭＰＵやメモリ等から実現され得る。注意喚起の処理手順は、通常、ソフトウェアで実現され、当該ソフトウェアはＲＯＭ等の記録媒体に記録されている。この処置手順が、テレビ映像処理回路に輝度変調などの画像変更の処理を行わせる。なお、これらの処理手順は、ハードウェア（専用回路）で実現しても良い。また、注意喚起処理・送出部６３を、注意喚起処理部と処理された映像信号を送出する送出部とにより構成してもよい。
(実施の形態１０)
【００６１】
本実施の形態１０では、選局したテレビ放送番組に対して、受信装置の内部で緊急通報の検出を行い、緊急通報が検出された場合にテレビ映像の画面の輝度を変調して注意喚起を行うようにした送受信システムについて説明する。
【００６２】
図６（Ｂ）において、放送番組受信部１５は、テレビ放送番組を受信し、施設内の複数のテレビ受像機である受信装置５７に受信電波の信号を供給する。放送番組受信部１５は、映像情報の供給源である。なお、受信装置６７が、アンテナによりテレビ電波を受信する場合は、テレビ電波、または、アンテナを、映像情報の供給源と看做してもよい。受信装置６７は、受信部２８、緊急検出部６５、および、表示部１９を備えている。受信部２８は、テレビ放送の１つのチャンネルを選択し、映像画面を復調する。復調した映像画面の情報を緊急検出部６５に渡す。緊急検出部６５は、受信中のチャンネルの映像情報の画面データを画像解析し、画面に緊急通報が表示されているかどうかを判定する。緊急通報の表示を検出した場合、緊急検出部６５は、送出装置６０に注意喚起処理の実行を指示する。受信部２８は、映像の画面データを注意喚起処理・送出部６３に供給する。注意喚起情報格納部６１は、内部に注意喚起の画像処理プログラムや輝度値データを格納している。注意喚起処理・送出部６３は、注意喚起情報格納部６１から注意喚起処理命令や輝度値データを読み出し、放送番組受信部５５の受信部２８から供給される映像画面について、テレビ映像画面全体、あるいは、その一部分の画面の輝度を大幅に変更し、フラッシュ画面にする。フラッシュ画面化の処理がなされた映像の画面データまたは映像情報は、受信部２８に戻され、表示部１９により表示される。視聴者は、番組に気が取られていても、フラッシュするテレビ放送の映像画面により、遅滞なく緊急事態発生に気づくことができ、放送局からの通報内容を読み取ることができる。
【００６３】
放送局が通報する緊急通報の内容に加えて、特定地域、老人ホーム、障害者ケアセンターなどで、独自に準備している通報内容、例えば、避難場所の指示、避難経路の指示などを通報する場合は、出力情報格納部を設けて、それらの追加の通報内容の文章データを格納しておき、注意喚起処理・送出部６３において、通報文データを文字画像化して重畳すればよい。送出のタイミングは、注意喚起情報よりも遅らせてもよい。放送番組では、緊急通報の文字情報をテレビ画面の上部や下部に配置することが多いので、出力情報の文字は、映像画面の中央部に配置してもよい。
【００６４】
本実施の形態１０では、特定地域のセンター、老人ホーム、障害者ケアセンターなどの管理室に送出装置６０を設けておき、受信装置６７と送出装置６０の間を通信回線、ＬＡＮ回線などで結合しておき、緊急検出部６５からの緊急通報検出の信号、注意喚起処理・送出部６３との画面データをやり取りする。なお、緊急検出部６５は、送出装置６０に設けてもよい。逆に、送出装置６０を各受信装置６７に内蔵させてもよい。緊急検出部６５の実現方法は、図５（Ａ）の緊急検出部５１とほぼ同様であるが、１チャンネルについての緊急検知ができればよい。
(実施の形態１１)
次に、本発明の送出方法、および、情報出力方法について説明する。以下の手順は、上記各実施の形態における送受信システムや送出装置の動作をソフトウェアにより実現する場合のプログラムの手順でもある。
【００６５】
図７に最も基本的な本発明の送出方法、および、情報出力方法に関わる手順のフローチャートを示す。図７において、（Ｓ１００）において、出力指示部１４の操作手段からの出力指示情報を待つ。出力指示情報が発生するとＹｅｓとなり、（Ｓ１０１）に進む。（Ｓ１０１）において、出力指示情報の内容が何であるかを解析し、（Ｓ１０２）に進む。（Ｓ１０２）において、出力指示内容に対応する注意喚起情報を読み出して送出する。次に、（Ｓ１０３）に進み、出力指示内容に対応する出力情報を読み出して送出する。送出が完了すると、（Ｓ１００）に戻り待機する。
【００６６】
注意喚起情報が１通りであり、出力情報の１通りである場合は、出力指示情報も１通りであるので、（Ｓ１０１）はなくともよい。火災通報と水害通報のように複数通りの注意喚起情報、あるいは、出力情報が用意、格納されている場合は、（Ｓ１０１）が必要である。（Ｓ１０２）、（Ｓ１０３）における送出形式は、注意喚起情報や出力情報のままでもよいし、表示形式に変換してからでもよい。
送出された注意喚起情報と出力情報は、表示形式の形で、テレビ放送番組の映像画面に重畳されて、受信装置などの表示画面に表示される。
なお、図７のフローチャートにおいて、電源オフや処理終了の割り込みにより処理は終了する。
【００６７】
図８は、読み出した注意喚起情報と出力情報を表示図形の形式に変換して送出する場合のフローチャートである。表示図形の形式に変換するとは、注意喚起情報が、そのまま表示に使用できる画面の形態の情報でない、例えば、注意喚起の画面の形状の幾何学的座標値、色彩、輝度などの形式で表した情報などの場合、あるいは、出力情報が、そのまま表示できる文字画面や文章画面の形式のデータでない形式の場合に、受信装置１７における映像や画像の信号のフォーマット、例えばＮＴＳＣ信号形式、ビデオ信号形式など、に合った形態に変換することや、表示部１９において表示されるビットマップの信号形式に変換することである。
【００６８】
図８の（Ｓ２００）において、出力指示部１４の操作手段からの出力指示情報を待つ。出力指示情報が発生するとＹｅｓとなり、（Ｓ２０１）に進む。（Ｓ２０１）において、出力指示情報の内容が何であるかを解析し、（Ｓ２０２）に進む。（Ｓ２０２）において、出力指示内容に対応する注意喚起情報を読み出す。次に、（Ｓ２０３）に進み、出力指示内容に対応する出力情報を読み出す。（Ｓ２０４）に進み、注意喚起情報を表示形式に変換して送出する。（Ｓ２０５）に進み、出力情報を表示形式に変換して送出する。変換は、既に説明したように、注意喚起情報は、そのまま表示に使用できる画面の形態の情報でない場合、あるいは、出力情報が、そのまま表示できる文字画面や文章画面の形式のデータでない形式の場合に、受信装置１７における映像や画像の信号のフォーマット、例えばＮＴＳＣ信号形式、コンポジットやコンポーネントのビデオ信号形式など、に合った形態に変換することや、表示部１９において表示されるビットマップの信号形式に変換することである。次に（Ｓ２０６）に進み、所定の表示時間だけ表示を継続し、その後に（Ｓ２００）に戻り待機する。（Ｓ２０４）は（Ｓ２０２）より後であればよい。（Ｓ２０５）は（Ｓ２０３）より後であればよい。（Ｓ２０４）と（Ｓ２０５）の順序は、逆でも同時でもよい。一般的には、注意喚起情報による注意喚起を行い、そのあとに、出力情報による緊急通報文を表示するのがよい。（Ｓ２０６）において表示時間に達しないＮｏの場合、（Ｓ２０４）に戻り、表示を繰り返してもよい。
【００６９】
実施の形態７、８のように、テレビ放送の緊急通報を検知したときに映像上に注意喚起情報や出力情報の図形や文字を表示する場合は、（Ｓ１００）や（Ｓ２００）において、緊急検出を行い緊急検出の有無により分岐する手順を設ければよい。
（実施の形態１２）
図４（Ｂ）を用いて説明した実施の形態６などのように、視聴者の注意を喚起する処理に関わる注意喚起情報により出力情報に輝度などの処理を行う場合の処置手順のフローチャートを図９に示す。
【００７０】
図９では、（Ｓ３００）において、出力指示部１４の操作手段からの出力指示情報を待つ。出力指示情報が発生するとＹｅｓとなり、（Ｓ３０１）に進む。（Ｓ３０１）において、出力指示情報の内容が何であるかを解析し、（Ｓ３０２）に進む。（Ｓ３０２）において、出力指示内容に対応する出力情報を読み出す。出力情報は、火災発生や洪水発生と避難方法を通知する文章のデータである。次に、（Ｓ３０３）に進み、出力指示内容に対応する注意喚起情報を読み出し、出力情報に注意喚起処理を加える。注意喚起情報は、視聴者の注意を喚起する処理に関わる情報であって、出力情報に対して輝度の変調を付与するための処理プログラムや、輝度値データなどである。次に（Ｓ３０４）に進み、注意喚起処理を加えた出力情報を送出する。その後（Ｓ３０５）に進み、輝度変調された通報文章の表示を所定の表示時間だけ継続し、その後に（Ｓ３００）に戻り待機する。
（実施の形態１３）
【００７１】
図６（Ａ）、図６（Ｂ）を用いて説明した実施の形態９や１０などのように、テレビ放送などの供給源から供給される映像情報に対して注意喚起処理を行うための送出方法における処理手順のフローチャートを図１０に示す。
【００７２】
図１０では、（Ｓ４００）において、テレビ放送番組の映像画面に緊急通報が含まれているかどうかを検知する。Ｎｏの場合は、（Ｓ４００）を繰り返す。Ｙｅｓの場合は（Ｓ４０１）に進む。（Ｓ４０１）に出力指示内容に対応する注意喚起情報を読み出し、映像情報に注意喚起処理を加える。ここでの注意喚起情報は、視聴者の注意を喚起する処理に関わる情報であって、画像の全体あるいは一部分の輝度を変調する画像処理プログラムや輝度値データなどである。映像情報は、テレビ放送などの供給源から供給される映像情報である。次に（Ｓ４０２）に進み、注意喚起処理を加えた映像情報を送出する。その後（Ｓ４０３）に進み、所定の表示時間だけ表示を継続し、その後に（Ｓ４００）に戻り待機する。所定の表示時間中は、（Ｓ４０１）と（Ｓ４０２）が継続され、テレビ番組の映像の輝度が０．５秒から１秒程度の周期で変調される。送出された輝度変調されたテレビ番組映像は、受信装置の表示部に表示される。
（その他の実施の形態および補足）
【００７３】
上記各実施の形態においては、種々の構成をそれぞれ一例として説明した。本発明における、視聴者の注意を喚起する画面に関わる注意喚起情報、視聴者の注意を喚起する処理に関わる注意喚起情報、受信装置において出力される情報である出力情報、および、それらの送出について、その形態と概念について整理して説明する。
【００７４】
注意喚起情報格納部が格納している注意喚起情報は、そのまま表示に使用できる画面の形態の情報だけでなく、注意喚起の画面の形状の幾何学的座標値、色彩、輝度などの形式で表した情報などを採用できることは既に述べた。視聴者の注意を喚起する処理に関わる注意喚起情報の場合は、注意喚起の処理、例えばフラッシュ付加のための画像処理プログラム、フラッシュ処理に使用する輝度値データなどが一例として挙げられる。このような視聴者の注意を喚起する処理に関わる注意喚起情報は、受信装置にそのまま送出されるのではなく、他の映像や画面を注意喚起しやすい画面に変化させることにより、注意喚起処理された画面の性質の形で送出されることになる。
【００７５】
出力情報は、緊急通知の内容を文字や文章で表した情報が最も適している。文字画面や文章画面でもよいが、一般的には、既に説明したＡＳＣＩＩ形式などの文字識別コードを使用すると、少ない情報量ですむ。その他の形式としては、避難経路を示す地図や建物内部の経路図、手話による通報画面などでもよい。このような図形の一部分をフラッシュ付加して表示してもよい。この場合は、この図形は、出力情報だけでなく注意喚起情報と看做すこともできる。しかしながら、フラッシュ処理する図形部分の指定や輝度値データなどが、図形情報とは別に必要となるのが普通であるので、フラッシュ処理する図形部分の指定を行うデータや輝度値データは出力情報とは別の注意喚起情報と看做してもよい。
【００７６】
注意喚起情報や出力情報が画面情報である場合は、画面情報の形式で送出してテレビ放送の映像画面に重畳するが、注意喚起情報や出力情報が画面情報そのものでない場合にも、送出の後に最終的には、テレビ放送の映像画面に重畳される。本発明における送出とは、既に述べたように、情報そのままの形態での送出に限らない。フラッシュ処理などにより注意喚起を容易にされた画面としての送出も、注意喚起情報や出力情報の送出に含まれる概念である。従って、合成部１６、３６、５６も、注意喚起情報や出力情報を送出していると看做すことができる。
以上説明したとおり、本発明における、注意喚起情報、出力情報、送出の形態と概念は、上記実施の形態におけるものに限らず、別の形態でもよい。
【００７７】
本発明における出力情報は、上記実施の形態では図形に関わる情報として説明したが、音声情報を伴っていてもよい。図形や映像の表示と共に、緊急通報が音声でなされることになる。また、出力情報として音声のみの場合でもよい。この場合は、聴覚障害者向けではなく、聴覚健常者向けの緊急通報注意喚起の送受信システム、送出装置、送出方法、および、情報出力方法になる。
【００７８】
上記各実施の形態では、ＮＴＳＣ方式のテレビ放送について説明したが、ＢＳ放送、ハイビジョン放送、デジタル放送、携帯電話による映像や画像提供通信サービス、ＰＡＬ方式などの海外の方式など、種々の映像方式や画像メディアにおいても、映像や画像上で注意喚起を行う本発明が適用できることは言うまでもない。
上記各実施の形態では、市販のテレビ受像機や一部に特別の構成を有するテレビ受像機を受信装置として使用したが、出力情報を特許文献１のように、テレビ受像用の表示部とは別に専用の表示部に表示してもよい。
【００７９】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【００８０】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。
また、このプログラムを実行するコンピュータは、単数であってもよく、複数であってもよい。すなわち、集中処理を行ってもよく、あるいは分散処理を行ってもよい。
また、上記各実施の形態において、一の装置に存在する２以上の通信手段（情報送信部など）は、物理的に一の媒体で実現されても良いことは言うまでもない。
本発明は、以上の実施の形態に限定されることなく、種々の変更が可能であり、それらも本発明の範囲内に包含されるものであることは言うまでもない。
【産業上の利用可能性】
【００８１】
本発明にかかる送受信システム、送出装置、送出方法、および、情報出力方法は、ユーザに注意を喚起する情報を送出する種々の分野に応用可能である。
【図面の簡単な説明】
【００８２】
【図１】本発明の送受信システム、および、送出装置の実施形態の構成図、および、表示画面の例
【図２】本発明の送受信システム、および、送出装置の実施形態の構成図
【図３】本発明の送受信システム、および、送出装置の実施形態の構成図
【図４】本発明の送出装置の実施形態の構成図
【図５】本発明の送受信システム、および、送出装置の実施形態の構成図
【図６】本発明の送受信システム、および、送出装置の実施形態の構成図
【図７】本発明の送出方法のフローチャート
【図８】本発明の送出方法のフローチャート
【図９】本発明の送出方法のフローチャート
【図１０】本発明の送出方法のフローチャート
【符号の説明】
【００８３】
１０、５０、６０    送出装置
１１、６１    注意喚起情報格納部
１２    出力情報格納部
１３    送出部
１４    出力指示部
１５、５５    放送番組受信部
１６    合成部
１７、５７、６７    受信装置
１８、２８    受信部
１９    表示部
２５    放送番組生成部
４１    制御部
４２    読出部
４３    映像情報変換部
４４    輝度値データメモリ
５１、６５    緊急検出部
６３    注意喚起処理・送出部
【図１】
2006086953.tif 000003
【図２】
2006086953.tif 000004
【図３】
2006086953.tif 000005
【図４】
2006086953.tif 000006
【図５】
2006086953.tif 000007
【図６】
2006086953.tif 000008
【図７】
2006086953.tif 000009
【図８】
2006086953.tif 000010
【図９】
2006086953.tif 000011
【図１０】
2006086953.tif 000012